(57)【要約】【課題】開閉蓋部と操作部とを構成する部材の部品点数を削減すると共に、部品を配置する場所の省スペース化を図ることのできる電子機器を提供する。【解決手段】本開示の電子機器は、開閉蓋部と、操作部とを備える。開閉蓋部は、扉部材と、扉部材を開閉可能に支持する支持部材とを有する。操作部は、筐体の開口部に配置された操作部材と、操作部材を弾性変位可能に保持する弾性変位部材とを有する。支持部材は、操作部材及び弾性変位部材と同一材料で一体的に形成されている。【選択図】図３
2017122826.tif 000002
【特許請求の範囲】
【請求項１】
開閉蓋部と、
操作部とを備え、
前記開閉蓋部は、扉部材と、前記扉部材を開閉可能に支持する支持部材とを有し、
前記操作部は、筐体の開口部に配置された操作部材と、前記操作部材を弾性変位可能に保持する弾性変位部材とを有し、
前記支持部材は、前記操作部材及び前記弾性変位部材と同一材料で一体的に形成されている、
電子機器。
【請求項２】
扉部材と、
前記扉部材を開閉可能に支持する支持部材と、
筐体の開口部に配置されるための操作部材と、
前記操作部材を弾性変位可能に保持する弾性変位部材とを備え、
前記支持部材は、前記操作部材及び前記弾性変位部材と同一材料で一体的に形成されている、
電子機器の開閉蓋部・操作部ユニット。
【発明の詳細な説明】
【技術分野】
【０００１】
本開示は、開閉蓋部と操作部とを備えた電子機器に関する。
【背景技術】
【０００２】
特許文献１は、電子機器に搭載される蓋開閉装置を開示する。特許文献１に開示された蓋開閉装置は、電子機器の底面に設けられている。
【先行技術文献】
【特許文献】
【０００３】
【特許文献１】特開２００７−１７３４７３号公報
【発明の概要】
【発明が解決しようとする課題】
【０００４】
本開示は、開閉蓋部と操作部とを構成する部材の部品点数を削減すると共に、部品を配置する場所の省スペース化を図ることのできる電子機器を提供する。
【課題を解決するための手段】
【０００５】
本開示の電子機器は、開閉蓋部と、操作部とを備える。開閉蓋部は、扉部材と、扉部材を開閉可能に支持する支持部材とを有する。操作部は、筐体の開口部に配置された操作部材と、操作部材を弾性変位可能に保持する弾性変位部材とを有する。支持部材は、操作部材及び弾性変位部材と同一材料で一体的に形成されている。
【発明の効果】
【０００６】
本開示の電子機器によれば、開閉蓋部と操作部とを構成する部材の部品点数を削減すると共に、部品を配置する場所の省スペース化を図ることができる。
【図面の簡単な説明】
【０００７】
【図１】実施の形態のデジタルビデオカメラを示す斜視図
【図２】実施の形態の開閉蓋部及び操作部を分解した状態を示す斜視図
【図３】実施の形態の開閉蓋部・操作部ユニットを分解した状態を示す斜視図
【図４】実施の形態の開閉蓋部及び操作部の軸受を通る面で切断した断面図
【図５】実施の形態の開閉蓋部及び操作部の釦を通る面で切断した断面図
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、添付図面および以下の説明は、当業者が本開示を十分に理解するために、提供されるのであって、これらにより特許請求の範囲に記載の主題を限定することは意図されていない。
【００１０】
以下、図１〜５を用いて、実施の形態を説明する。
【００１１】
図１は、実施の形態のデジタルビデオカメラ１００を示す斜視図である。図１に示すように、デジタルビデオカメラ１００は、液晶モニタ１０１、ビューファインダー１０２、操作部１０３、蓋体１０４、バッテリーロックノブ１０５、バッテリー１０６などを備えている。操作部１０３には、各種操作用の押釦が複数配置されている。蓋体１０４は、ＳＤメモリカードなどの記録媒体の挿入口を開閉可能に閉塞するための蓋体である。
【００１２】
図２は、実施の形態の開閉蓋部及び操作部を分解した状態を示す斜視図である。図２に示すように、開閉蓋部及び操作部は、本体ケース２０１、開閉蓋部・操作部ユニット２００、バッテリーロックノブ１０５、ノブスプリング２０２、ＳＤ基板２０４、スイッチ基板２０５から構成される。
【００１３】
本体ケース２０１は、デジタルビデオカメラ１００の筐体を構成する部材であり、蓋体１０４及び釦３０７ａ〜３０７ｄに対応する位置に開口部を備えている。
【００１４】
開閉蓋部・操作部ユニット２００は、開閉蓋部と操作部とを複合化して一体化した部材であり、詳細については後述する。
【００１５】
バッテリーロックノブ１０５は、バッテリー１０６を固定するための部材であり、使用者がバッテリー１０６を取り外しするときには、バッテリーロックノブ１０５を操作することでバッテリー１０６の取り外しが可能となる。ノブスプリング２０２はバッテリーロックノブ１０５をバッテリー固定方向に付勢するための部材である。このため、バッテリー１０６を取り外すために操作移動したバッテリーロックノブ１０５は初期位置に自動復帰可能となっている。
【００１６】
ＳＤ基板２０４にはＳＤカードホルダー４０１とアクセスＬＥＤ４０２が実装されている。ＳＤカードホルダー４０１にＳＤカードを挿入し、ＳＤカードにアクセスすることにより、ＳＤカードへの記録、及び記録映像の視聴が可能となる。アクセスＬＥＤ４０２は、ＳＤカードアクセス時に点灯するようになっている。
【００１７】
スイッチ基板２０５には、釦３０７ｂ〜３０７ｄに対応させた操作スイッチ５０１ｂ〜５０１ｄが実装されている。釦３０７ａに対応させた操作スイッチは、スイッチ基板２０５とは別の図示しない基板に実装されている。
【００１８】
図３は、実施の形態の開閉蓋部・操作部ユニット２００を分解した状態を示す斜視図である。図３に示すように、開閉蓋部・操作部ユニット２００は、蓋体１０４と、ホルダー３０１と、パネライトピース３０２と、ビス３０３とで構成される。
【００１９】
蓋体１０４は、記録媒体の挿入口を閉塞する蓋部の両端に設けられた回動軸１０４ａ、１０４ｂと、略平面で構成されるカム面１０４ｃとを有する。
【００２０】
ホルダー３０１は、記録媒体を挿通可能な枠体の両端に設けられた軸受３０６ａ、３０６ｂを備え、それぞれ、蓋体１０４が備える回動軸１０４ａ、１０４ｂを回動自在に支持する。また、ホルダー３０１は、釦３０７ａ〜３０７ｄの各々を、板ばね３１１を介して支持する。板ばね３１１は、ホルダー３０１及び釦３０７ａ〜ｄと同一材料で一体的に形成されており、薄肉部として形成されることにより、釦３０７ａ〜３０７ｄがホルダー３０１に対して弾性変位できるように構成されている。ホルダー３０１、板ばね３１１及び釦３０７ａ〜３０７ｄを一体的に構成する材料として、例えば樹脂を用いることができる。さらに、ホルダー３０１は、バッテリーロックノブ１０５の動作を規制するノブストッパー３０８を備える。
【００２１】
パネライトピース３０２は、ばね部３１０と、透光部３０９とを備える。パネライトピース３０２は、ホルダー３０１に対して、係合爪及びビス３０３により固定される。パネライトピース３０２は、例えば半透明の樹脂で形成することができる。
【００２２】
パネライトピース３０２が有するばね部３１０は、蓋体１０４が有するカム面１０４ｃと当接するように構成されている。蓋体１０４が閉じた状態においては、蓋体１０４が閉じる方向に力が働き、蓋体１０４が開いた状態においては、蓋体１０４が開く方向に力が働くようなカム構造となっている。
【００２３】
パネライトピース３０２が有する透光部３０９は、本体ケース２０１に設けられた開口に対応し、透光部３０９よりも内側に配置されたアクセスＬＥＤ４０２からの発光を透過できるように構成されている。
【００２４】
開閉蓋部・操作部ユニット２００は、本体ケース２０１の内側に係合爪等によって固定される。このとき、開閉蓋部・操作部ユニット２００の蓋体１０４は本体ケース２０１の扉開口部に、釦３０７ａ〜３０７ｄは本体ケース２０１の釦孔に各々に配置される。また、開閉蓋部・操作部ユニット２００に設けられたノブストッパー３０８が本体ケース２０１に係合することで、バッテリーロックノブ１０５が本体ケース２０１から外れないように構成される。
【００２５】
実施の形態における蓋体１０４及びホルダー３０１は、本開示における開閉蓋部に相当し、実施の形態における釦３０７ａ〜ｄ及び板ばね３１１は、本開示における操作部に相当する。
【００２６】
図４は、実施の形態の開閉蓋部及び操作部の軸受３０６ａ、３０６ｂを通る面で切断した断面図である。図４に示すように、ＳＤ基板２０４はホルダー３０１と隣接して配置される。このとき、設計者は使用者がＳＤカードの挿入・取り出し易さを考慮し、ＳＤカードホルダー４０１の位置を決定することが望まれる。また、同様にアクセスＬＥＤ４０２は、使用者の視認が容易なように設計・配置することが望ましい。使用者は透光部３０９を視認することでＳＤカードにアクセスしているかどうかを確認することができる。
【００２７】
図５は、実施の形態の開閉蓋部及び操作部の釦３０７ｂ〜３０７ｄを通る面で切断した断面図である。図５に示すように、スイッチ基板２０５はホルダー３０１と隣接して配置される。このとき、設計者は釦３０７ｂ〜３０７ｄの操作性を考慮し、操作スイッチ５０１ｂ〜５０１ｄの選定・配置をすることが望まれる。
【００２８】
以上のように、実施の形態の電子機器においては、蓋体１０４を開閉可能に支持するホルダー３０１と、釦３０７ａ〜３０７ｄと、ホルダー３０１に対して釦３０７ａ〜３０７ｄが弾性変位できるように支持する板ばね３１１とが、同一材料で一体的に形成されている。このように、実施の形態では、ホルダー３０１が、蓋体１０４を開閉可能に支持すると共に、釦３０７ａ〜３０７ｄを板ばね３１１を介して弾性変位できるように支持するため、従来技術のように扉の軸受部に加えて釦を支持するための基材部を設ける必要がない。よって、開閉蓋部と操作部を配置する場所の省スペース化を図ることができる。また、ホルダー３０１と、釦３０７ａ〜３０７ｄと、板ばね３１１とを一体的に形成することにより、部品点数の削減が可能となり、金型費の削減及び組立て工数の削減に繋がる。
【００２９】
本開示の電子機器によれば、開閉蓋部と操作部とを構成する部材の部品点数を削減すると共に、部品を配置する場所の省スペース化を図ることができる。
【００３０】
以上の実施形態においては、デジタルビデオカメラを例にして説明した。しかしながら、本実施形態の電子機器としては、特に限定されるものではなく、開閉蓋部と操作部とを備えた各種電子機器に適用することができる。
【００３１】
なお、上述の実施の形態は、本開示における技術を例示するためのものであるから、特許請求の範囲またはその均等の範囲において種々の変更、置き換え、付加、省略などを行うことができる。
【産業上の利用可能性】
【００３２】
本開示は、開閉蓋部と操作部とを備えた各種電子機器に適用することができる。
【符号の説明】
【００３３】
１００  デジタルビデオカメラ
１０１  液晶モニタ
１０２  ビューファインダー
１０３  操作部
１０４  蓋体
１０４ａ、ｂ  回動軸
１０４ｃ  カム面
１０５  バッテリーロックノブ
１０６  バッテリー
２００  開閉蓋部・操作部ユニット
２０１  本体ケース
２０２  ノブスプリング
２０４  ＳＤ基板
２０５  スイッチ基板
３０１  ホルダー
３０２  パネライトピース
３０３  ビス
３０６ａ、ｂ  軸受
３０７ａ〜ｄ  釦
３０８  ノブストッパー
３０９  透光部
３１０  ばね部
３１１  板ばね
４０１  ＳＤカードホルダー
４０２  アクセスＬＥＤ
５０１  操作スイッチ
【図１】
2017122826.tif 000003
【図２】
2017122826.tif 000004
【図３】
2017122826.tif 000005
【図４】
2017122826.tif 000006
【図５】
2017122826.tif 000007